(57)【要約】      （修正有）【課題】ユーザーが簡便に使用することができ、コネクタの接触不良や破損を防止できる車載用音響装置を提供すること。【解決手段】楽曲データが記憶されたＵＳＢメモリを、本体４０の前面パネルに形成したＵＳＢコネクタ１６に接続して楽曲データを再生して音響出力を行う車載オーディオ装置において、ＵＳＢコネクタ１６を前面パネルから引出可能に構成し、ＵＳＢコネクタ１６の引出操作に応じて当該ＵＳＢコネクタ１６に繋がるケーブル４４を送出する一方、所定の操作が加えられるとこれに応答して送出していたケーブル４４を巻戻すリール５０を備えた。【選択図】図３
2013091342.tif 000002
【特許請求の範囲】
【請求項１】
音楽データが記憶された外部記憶媒体を、本体の前面パネルに形成したコネクタ部に接続し、前記外部記憶媒体に記録された前記音楽データを再生して音響出力を行う車載用音響装置において、
前記コネクタ部を前記前面パネルから引出可能に構成し、前記コネクタ部の引出操作に応じて当該コネクタ部に繋がるケーブルを送出する一方、所定の操作が加えられるとこれに応答して送出していた前記ケーブルを巻戻すケーブル巻取手段を備えることを特徴とする車載用音響装置。
【請求項２】
前記コネクタ部を収容する収容部を前記前面パネルに設けたことを特徴とする請求項１に記載の車載用音響装置。
【請求項３】
前記収容部は、前記コネクタ部を外方に突出させるように付勢する付勢手段と、当該収容部の開口を開閉自在に覆い、前記コネクタ部を収容した状態で保持するカバー体を備えることを特徴とする請求項２に記載の車載用音響装置。
【発明の詳細な説明】
【技術分野】
【０００１】
本発明は、外部記憶媒体に記憶された音楽データの再生制御を行う車載用音響装置に関する。
【背景技術】
【０００２】
一般に、ＵＳＢ（Universal Serial Bus）接続型のフラッシュメモリ（以下、ＵＳＢメモリという）を外部記憶媒体として、本体の前面パネルに形成したＵＳＢコネクタに接続可能に構成し、このＵＳＢメモリに記録された音楽データを再生して音響出力を行う車載用音響装置が知られている（例えば、特許文献１参照）。
【先行技術文献】
【特許文献】
【０００３】
【特許文献１】特開２００８−１７１５１７号公報
【発明の概要】
【発明が解決しようとする課題】
【０００４】
しかしながら、ＵＳＢメモリをＵＳＢコネクタに直接接続して使用した場合、このＵＳＢメモリが前面パネルから突出した状態となるため、車載音響機器の操作時にユーザーの手がＵＳＢメモリに触れたり、車両の振動によって、ＵＳＢコネクタの接触不良や破損が懸念された。
このため、従来の構成では、ＵＳＢコネクタに延長ケーブルを接続して使用することを推奨しているが、使用の都度、延長ケーブルを接続することに対してユーザーが煩わしさを覚えることがあった。また、ＵＳＢメモリを使用していない際に、延長ケーブルを接続したままとすると見栄えが悪くなるといった問題があった。
そこで、本発明は上記課題を解決するために成されたものであり、ユーザーが簡便に使用することができ、コネクタの接触不良や破損を防止できる車載用音響装置を提供することを目的とする。
【課題を解決するための手段】
【０００５】
上記目的を達成するために、本発明は、音楽データが記憶された外部記憶媒体を、本体の前面パネルに形成したコネクタ部に接続し、前記外部記憶媒体に記録された前記音楽データを再生して音響出力を行う車載用音響装置において、前記コネクタ部を前記前面パネルから引出可能に構成し、前記コネクタ部の引出操作に応じて当該コネクタ部に繋がるケーブルを送出する一方、所定の操作が加えられるとこれに応答して送出していた前記ケーブルを巻戻すケーブル巻取手段を備えることを特徴とする。
【０００６】
この構成において、前記コネクタ部を収容する収容部を前記前面パネルに設けても良い。また、前記収容部は、前記コネクタ部を外方に突出させるように付勢する付勢手段と、当該収容部の開口を開閉自在に覆い、前記コネクタ部を収容した状態で保持するカバー体を備えても良い。
【発明の効果】
【０００７】
本発明によれば、コネクタ部を前面パネルから引出可能に構成し、コネクタ部の引出操作に応じて当該コネクタ部に繋がるケーブルを送出する一方、所定の操作が加えられるとこれに応答して送出していたケーブルを巻戻すケーブル巻取手段を備えるため、使用時には、コネクタ部とともにケーブルを引き出せば良く、ユーザーが簡便に使用することができる。また、ケーブルを引き延ばした位置で外部記憶媒体を接続するため、コネクタ部の接触不良や破損を防止できる。さらに、使用後は、ケーブル巻取手段にケーブルが巻き取られて本体内に収容されるため、外観の見栄えが向上する。
【図面の簡単な説明】
【０００８】
【図１】車載オーディオ装置の機能的構成を示す図である。
【図２】車載オーディオ装置の外観斜視図である。
【図３】車載オーディオ装置のケーブル巻取機構を示す図である。
【図４】カバーが閉じた状態を示すコネクタ収容部の断面図である。
【図５】カバーを開いた状態を示すコネクタ収容部の断面図である。
【発明を実施するための形態】
【０００９】
以下、図面を参照して本発明の一実施の形態について説明する。
本実施形態にかかる車載オーディオ装置（車載音響装置）は、例えば自動車などの車両の車室内に設けられる機器であって、ＣＤやＤＶＤ等の光学ディスクやＵＳＢメモリなどの半導体メモリといった記録媒体に記録された音楽データを再生し車室内に音声出力する。
【００１０】
図１は、車載オーディオ装置１の機能的構成を示す図である。
図１に示すように、車載オーディオ装置１は、マイコン３と、光ディスク読取部５と、ＵＳＢメモリ読取部７と、オーディオＤＳＰ９と、操作部１１と、表示部１３とを備える。マイコン３は、各部を中枢的に制御するものであり、例えばＣＰＵやＲＯＭ、ＲＡＭ等を備えて構成されている。光ディスク読取部５は、ＣＤやＤＶＤ等の光ディスク１５に記録されている楽曲（音楽）データを読み取りマイコン３に出力する。
ＵＳＢメモリ読取部７は、ＵＳＢコネクタ（コネクタ部）１６に接続されたＵＳＢメモリ（外部記憶媒体）１７に記録されている楽曲（音楽）データを読み取りマイコン３に出力する。ＵＳＢメモリ１７には、例えば、ＭＰ３、ＷＭＡ、ＡＡＣ、ＡＴＲＡＣ、ＯＧＧなどの所定の圧縮形式により圧縮された楽曲データが記憶されている。
なお、ＵＳＢメモリ１７に代えて、携帯型音楽再生装置をＵＳＢコネクタ１６に接続し、当該携帯型音楽再生装置に記録されている楽曲データをＵＳＢメモリ読取部７で読み取る構成としても良いことは勿論である。
【００１１】
マイコン３は、光ディスク読取部５やＵＳＢメモリ読取部７から入力された楽曲データのデジタル音声信号をオーディオＤＳＰ９に出力する。なお、楽曲データが所定のコーデックで符号化されている場合にはデコードしてデジタル音声信号をオーディオＤＳＰ９に出力する。オーディオＤＳＰ９は、デジタル音声信号にエコライズ等の各種の音響効果を付与してアンプ装置１９に出力する。アンプ装置１９は、デジタル音声信号をアナログ音声信号に変換するＤ／Ａコンバータ、及びアナログ音声信号を増幅する増幅器（共に図示せず）を備え、このアナログ音声信号を車両に設けたスピーカ装置２１に出力する。
【００１２】
操作部１１は、押圧操作により作動する操作ボタン２７と、回転操作により作動する操作つまみ２９と、各操作検出信号を出力する検出回路（不図示）とを備え、ユーザーによる操作を検出して操作検出信号をマイコン３に出力する。
表示部１３は、例えばＬＣＤ（Liquid Crystal Display）やＥＬ（Electro Luminescent）ディスプレイ等のディスプレイ装置３１を備え、マイコン３の制御の下、各種の情報を表示する。
本実施形態では、マイコン３、ＵＳＢメモリ読取部７及びオーディオＤＳＰ９は、メイン基板２３に搭載され、このメイン基板２３に光ディスク読取部５、操作部１１、表示部１３、光ディスク読取部５、ＵＳＢコネクタ１６、及び、アンプ装置１９がそれぞれ接続される。
【００１３】
図２は、車載オーディオ装置１の外観斜視図である。
図２に示すように、車載オーディオ装置１は、本体４０と、この本体４０の前面に設けられている前面パネル４１とを備える。この前面パネル４１の上部には、幅方向に沿って光ディスク挿入口４２が設けられ、この光ディスク挿入口４２の奥側に光ディスク読取部５が配置されている。
光ディスク挿入口４２の下方には幅方向に延びるディスプレイ装置３１と、ボリューム操作等を行う操作つまみ２９が設けられ、前面パネル４１の周囲には、複数の操作ボタン２７，２７が縁部に沿って配置されている。
【００１４】
本実施形態では、前面パネル４１には、操作ボタン２７，２７と並んだ図中右下の角部に、ＵＳＢコネクタ１６が収容されるコネクタ収容部４３が形成され、このコネクタ収容部４３からＵＳＢコネクタ１６をケーブル４４とともに引出可能に構成されている。
具体的には、図３に示すように、本体４０内にはケーブル４４を巻き取り可能なリール（ケーブル巻取手段）５０が設けられている。本体４０内には、底面部４０Ａに配置されるメイン基板２３と、底面部４０Ａからメイン基板２３の上方に掛け渡される支持板４５とを備え、この支持板４５にリール５０が回転自在に支持されている。
【００１５】
リール５０は、対向する一対のフランジ５０Ａ，５０Ａと、これらフランジ５０Ａ，５０Ａ間にケーブル４４を巻き取る回転軸５０Ｂとを備え、この回転軸５０Ｂは、例えばゼンマイ等のばね部材（不図示）により、ケーブル４４を巻き取る回転方向に付勢されている。すなわち、ＵＳＢコネクタ１６及びケーブル４４を引き出すと、リール５０の回転軸５０Ｂが回転してばね部材が巻かれる。このとき、ＵＳＢコネクタ１６の引っ張りを緩めても、下側のフランジ５０Ａと支持板４５との間に設けられる図示しないストッパ爪によりリール５０の回転が阻止されるため、ケーブル４４は本体４０内に引き込まれずそのまま保持される。
これにより、適宜の長さまでケーブル４４を引き出した状態で、ＵＳＢコネクタ１６にＵＳＢメモリ１７を接続して使用することができるため、従来のコネクタに直接ＵＳＢメモリ１７を接続するものに比べて、ユーザーの手がＵＳＢメモリ１７に触れたり、車両の振動の伝達を抑えることができ、ＵＳＢコネクタの接触不良や破損を防止できる。
さらに、本構成では、ＵＳＢメモリが前面パネル４１から突出して取り付けられることがないため、万一、車両が事故を起こした場合であっても、運転手もしくは乗員が当該突出したＵＳＢメモリに触れることがなく、安全性の向上を図ることができる。
【００１６】
一方、例えば解除ボタン等の適宜の操作手段を操作することにより、ストッパ爪が解除されると、リール５０の回転が自由となり、ばね部材の付勢力によってリール５０がケーブル４４を巻き取る方向に回転する。これにより、ＵＳＢコネクタ１６を使用しない場合には、ケーブル４４が巻き取られてＵＳＢコネクタ１６がコネクタ収容部４３に収容されるため、余分なケーブルが露出することがなく、外観上の見栄えが向上する。
【００１７】
次に、コネクタ収容部４３について説明する。
図４は、カバー部材が閉じた状態を示すコネクタ収容部の断面図であり、図５は、カバー部材を開いた状態を示すコネクタ収容部の断面図である。
コネクタ収容部４３は、図４に示すように、前面パネル４１側に開口４３Ａが形成された有底角筒状に形成され、この開口４３Ａと反対側の壁部４３Ｂには、ケーブル４４が通過するケーブル孔４３Ｃが形成されている。
コネクタ収容部４３には、壁部４３ＢにＵＳＢコネクタ１６を外方に突出するように付勢されたばね部材（付勢手段）５２と、上記開口４３Ａを開閉自在にスライド移動するカバー部材（カバー体）５３とが配置されている。このカバー部材５３は、ＵＳＢコネクタ１６をばね部材５２の付勢力に抗ってコネクタ収容部４３に収容した際に、この収容された状態を保持する機能を有する。
カバー部材５３は、上端部にガイドピン５３Ａと、操作爪５３Ｂとを有し、この操作爪５３Ｂを押し上げ、または、押し下げると、カバー部材５３が前面パネル４１に形成されたガイド溝（不図示）に沿って移動し、上方または下方にスライド移動する。コネクタ収容部４３の下部と前面パネル４１との間には、図５に示すように、カバー部材５３を開放した際に、当該カバー部材５３が進入する隙間部５４が形成されている。
【００１８】
本実施形態では、図４、図５に示すように、ＵＳＢコネクタ１６は、先端上部及び下部にそれぞれリブ部１６Ａ，１６Ａを備える。このリブ部１６Ａ，１６Ａは、コネクタ収容部４３の開口４３Ａ側に上下に拡径した段部４３Ｄ，４３Ｄに当接する大きさに形成されており、ＵＳＢコネクタ１６が段部４３Ｄ，４３Ｄよりも奥方に押し込められることを防止している。
【００１９】
次に、動作について説明する。
図４に示すように、カバー部材５３が閉じた状態で、このカバー部材５３の操作爪５３Ｂを下方に押し下げると、カバー部材５３は、ガイドピン５３Ａがガイド溝に沿って下方にスライド移動して、コネクタ収容部４３の開口４３Ａが開放される。
ＵＳＢコネクタ１６は、ばね部材５２によって外方に付勢されているため、この付勢力により、図５に示すように、ＵＳＢコネクタ１６がコネクタ収容部４３から押し出され、前面パネル４１から突出される。これにより、この突出したＵＳＢコネクタ１６を簡単に引き出すことができる。
【００２０】
一方、上記したリール５０がケーブル４４を巻き取った場合には、ＵＳＢコネクタ１６をばね部材５２の付勢力に抗って、コネクタ収容部４３に押し込むとともに、カバー部材５３の操作爪５３Ｂを上方に押し上げることで当該カバー部材５３を閉塞する。これによれば、ＵＳＢコネクタ１６は、カバー部材５３によってコネクタ収容部４３内に保持されるとともに、コネクタ収容部４３が覆われるため、外観の見栄えが向上にする。
【００２１】
このように、本実施形態によれば、楽曲データが記憶されたＵＳＢメモリ１７を、本体４０の前面パネル４１に形成したＵＳＢコネクタ１６に接続して楽曲データを再生して音響出力を行う車載オーディオ装置１において、ＵＳＢコネクタ１６を前面パネル４１から引出可能に構成し、ＵＳＢコネクタ１６の引出操作に応じて当該ＵＳＢコネクタ１６に繋がるケーブル４４を送出する一方、所定の操作が加えられるとこれに応答して送出していたケーブル４４を巻戻すリール５０を備えたため、ＵＳＢコネクタ１６を使用する際には、ＵＳＢコネクタ１６とともにケーブル４４を引き出せば良く、ユーザーが簡便に使用することができる。また、ケーブル４４を引き延ばした位置でＵＳＢメモリ１７を接続するため、ＵＳＢコネクタ１６の接触不良や破損を防止できる。さらに、使用後は、リール５０にケーブル４４が巻き取られて本体４０内に収容されるため、外観の見栄えが向上する。
【００２２】
また、本実施形態によれば、ＵＳＢコネクタ１６を収容するコネクタ収容部４３を前面パネル４１に設けたため、ケーブル４４を巻き取った際に、ＵＳＢコネクタ１６を前面パネル４１から突出することなくコネクタ収容部４３内に収容できるため、外観の見栄えが向上する。
【００２３】
また、本実施形態によれば、コネクタ収容部４３は、ＵＳＢコネクタ１６を外方に突出させるように付勢するばね部材５２と、当該コネクタ収容部４３の開口４３Ａを開閉自在に覆い、ＵＳＢコネクタ１６を収容した状態で保持するカバー部材５３を備えるため、このカバー部材５３を開放するだけで、ＵＳＢコネクタ１６がコネクタ収容部４３から押し出されてＵＳＢコネクタ１６を簡単に引き出すことができる。さらに、カバー部材５３がＵＳＢコネクタ１６をコネクタ収容部４３内に収容した状態で保持するため、この保持する機構を簡単に構成することができる。
【００２４】
上記実施の形態は本発明の一態様であり、本発明の趣旨を逸脱しない範囲において適宜変更可能であるのは勿論である。例えば、本実施形態では、コネクタ収容部４３は、前面パネル４１の右下の角部に形成しているが、前面パネル４１に形成されているのであれば、どの位置に形成されていても良い。
【符号の説明】
【００２５】
１  車載オーディオ装置（車載用音響装置）
１６  ＵＳＢコネクタ（コネクタ部）
１７  ＵＳＢメモリ（外部記憶媒体）
２３  メイン基板
４０  本体
４１  前面パネル
４３  コネクタ収容部（収容部）
４３Ａ  開口
４３Ｂ  壁部
４３Ｃ  ケーブル孔
４３Ｄ  段部
４４  ケーブル
４５  支持板
５０  リール（ケーブル巻取手段）
５０Ａ  フランジ
５０Ｂ  回転軸
５２  ばね部材（付勢手段）
５３  カバー部材（カバー体）
５３Ａ  ガイドピン
５３Ｂ  操作爪
５４  隙間部
【図１】
2013091342.tif 000003
【図２】
2013091342.tif 000004
【図３】
2013091342.tif 000005
【図４】
2013091342.tif 000006
【図５】
2013091342.tif 000007